(57)【要約】【課題】組立工程中に傷がつき部品が損品になる問題を回避し、かつ、キャップ部外周の隙間の品位が向上する構成を、コストアップせずに実現することを可能にした電子機器を提供すること。【解決手段】略長方形のカバー本体と、前記カバー本体と投影形状が略同一であるキャップ部と、前記キャップ部には電子機器本体に対して引き出し可能にしている延出部と、前記延出部先端には電子機器本体に対して抜け止めとして設けられた係止部と、前記延出部および前記係止部は、前記キャップ部の幅方向一方側部でかつ、長手中心から偏った位置に設けられており、前記カバー本体の長手中心を挟んで前記延出部と逆側の端部に第一の位置決め凸部が設けられ、前記第一の位置決め凸部と略対角の端部に第二の位置決め凸部を設けられていることを特徴とする。【選択図】図３
2018056607.tif 000002
【特許請求の範囲】
【請求項１】
長方形のカバー本体（８）と、
前記カバー本体（８）と投影形状が同一であるキャップ部（９）と、
前記キャップ部（９）には電子機器本体に対して引き出し可能にしている延出部（９（ａ））と、
前記延出部（９（ａ））先端には電子機器本体に対して抜け止めとして設けられた係止部（９（ｂ））と、
前記延出部（９（ａ））および前記係止部（９（ｂ））は、前記キャップ部（９）の幅方向一方側部でかつ、長手中心から偏った位置に設けられており、
前記カバー本体（８）の長手中心を挟んで前記延出部（９（ａ））と逆側の端部に第一の位置決め凸部（８（ｅ））が設けられ、
前記第一の位置決め凸部（８（ｅ））と対角の端部に第二の位置決め凸部（８（ｆ））が設けられていることを特徴とする電子機器。
【請求項２】
前記キャップ部（９）は前記カバー本体（８）に対して圧入された構成であることを特徴とする請求項１に記載の電子機器。
【請求項３】
電子機器には複数の外部入出力端子（１０）が設けられており、複数の外部入出力端子（１０）は前記キャップ部（９）によって覆われていることを特徴とする請求項１又は請求項２に記載の電子機器。
【請求項４】
前記キャップ部（９）の前記延出部（９（ａ））は、前記カバー本体（８）に設けられた開口部８（ｃ）を介して前記係止部（９（ｂ））が電子機器に係止する位置まで引出可能な構成となっていることを特徴とする請求項請求項１乃至請求項３の何れか一項に記載の電子機器。
【請求項５】
前記キャップ部（９）の前記延出部（９（ａ））は軟質材で形成されていることを特徴とする請求項１乃至請求項４の何れか一項に記載の電子機器。
【請求項６】
前記カバー本体（８）は、前記キャップ部（９）を引き出した際に露出するビス（１２）によって電子機器に固定されていることを特徴とする請求項１乃至請求項５の何れか一項に記載の電子機器。
【請求項７】
前記カバー本体（８）は、外装カバーである前カバー（２）と後カバー（４）で形成された開口部に収納されていることを特徴とする請求項１乃至請求項６の何れか一項に記載の電子機器。
【請求項８】
前記キャップ部（９）の前記延出部（９（ａ））の断面形状は、前記キャップ部（９）の長手中心に近い側に対して、遠い側の幅を大きくしていることを特徴とする請求項１乃至請求項７の何れか一項に記載の電子機器。
【発明の詳細な説明】
【技術分野】
【０００１】
本発明は、開閉操作可能なキャップ部を有する電子機器に関し、特にキャップ部外周の隙間品位に関する。
【背景技術】
【０００２】
従来のデジタル一眼レフカメラにおいて、テレビやパソコンなどの外部電子機器と接続するために、各種外部入出力端子および外部入出力端子を覆うための開閉式のキャップ部を備えたものがある。
【０００３】
特許文献１では、キャップ部が弾力性のあるエラストマ部材で形成されており、キャップ部の内観側に設けられた円筒状に延出した突起が、電子機器の外装の一部を形成しているサイドカバーに対して圧入保持される。本構成によると、キャップ部を開状態とするためには、電子機器からキャップ部を引き出した後、円筒状の突起を回転中心軸として略９０°回転する必要がある。また、キャップ部が電子機器に収納される際は、キャップ部の外周がサイドカバーに対して圧入保持される構成となっている。
【０００４】
特許文献２では、キャップ部に係合爪が複数個所配置されており、キャップ部が収納されるとこの係合爪によって電子機器外装内部に設けられたインナー部材と係合保持される。特許文献３では、キャップ部がサイドカバーに圧入されることで位置決めされ、キャップ部の引き出し用の延出部が挿通される開口部がサイドカバーの長手方向に対して偏った位置に設けられている。
【先行技術文献】
【特許文献】
【０００５】
【特許文献１】特開２０１２−１８６５８１号公報
【特許文献２】特開２０１１−２０９５５８号公報
【特許文献３】特開２０１１−１６５３４５号公報
【発明の概要】
【発明が解決しようとする課題】
【０００６】
しかしながら、上述の特許文献１に開示された従来技術では、サイドカバーが外装の一部を形成しているため、他の外装部品と外観品位の統一感を出すために、塗装を施す必要があり、その分製造コストがかかる。また、キャップ部をサイドカバーに取り付ける際、キャップ部に設けられた円筒状の突起部をサイドカバーに設けられた穴に挿入する必要がある。しかし、円筒状の突起部の先端には係止部があるため、この係止部を穴に貫通させる作業が必要となり、組立作業に困難を要す。
【０００７】
特許文献２に開示された従来技術では、組立工程においてキャップ部を取り付ける際、すでに外部入出力端子の外周を形成する部材が電子機器に取り付いた状態となっている。なお、外部入出力端子の外周を形成する部材は、キャップ部を開いた状態で外観に露出する部材となっている。
【０００８】
このため、例えば組立工程中に外部機器との接続確認を行う際に、ケーブル等のコネクタを外部入出力端子に正しく挿入することに失敗して、コネクタを外部入出力端子外周のサイドカバー表面に接触させてしまい、サイドカバー表面に傷が付くことが考えられる。
このような場合、部品が損品として処理されることが考えられる。
【０００９】
特許文献３に開示された従来技術では、サイドカバーを本体に組みつける際、一度、キャップ部とサイドカバーを一体にさせた後、キャップ部のみを開いてサイドカバーを本体にビス締めする。この構成において、サイドカバーをビス締めする前にキャップ部を開いた時にキャップ部の延出部によってサイドカバーの開口が押されてしまう。
【００１０】
サイドカバーに設けられた開口部がサイドカバーの長手方向に対して偏った位置に設けられているため、サイドカバーはキャップ部の延出部によって回転させられてしまう。
このため、サイドカバーが傾いた状態でビス締めされてしまい、サイドカバーおよびキャップ部の外周と本体との隙間が不均一になってしまう。
【００１１】
そこで、本発明の目的は、組立工程中に傷がつき部品が損品になる問題を回避し、かつ、キャップ部外周の隙間の品位が向上する構成を、コストアップせずに実現することを可能にした電子機器を提供することにある。
【課題を解決するための手段】
【００１２】
上記の目的を達成するために、本発明に係る電子機器は、
略長方形のカバー本体と、
前記カバー本体と投影形状が略同一であるキャップ部と
前記キャップ部には電子機器本体に対して引き出し可能にしている延出部と、
前記延出部先端には電子機器本体に対して抜け止めとして設けられた係止部と、
前記延出部および前記係止部は、前記キャップ部の幅方向一方側部でかつ、長手中心から偏った位置に設けられており、
前記カバー本体の長手中心を挟んで前記延出部と逆側の端部に第一の位置決め凸部が設けられ、
前記第一の位置決め凸部と略対角の端部に第二の位置決め凸部を設けられていることを特徴とする。
【発明の効果】
【００１３】
本発明によれば、組立工程中に傷がつき部品が損品になる問題を回避し、かつ、キャップ部外周の隙間の品位が向上する構成を、コストアップせずに実現することを可能にした電子機器を提供することができる。
【図面の簡単な説明】
【００１４】
【図１】本発明の電子機器の第一の実施形態である撮像装置を背面側から見た斜視図
【図２−１】本発明の電子機器の第一の実施形態である撮像装置の構造を示す撮像装置の背面側から見た分解斜視図
【図２−２】本発明の電子機器の第一の実施形態である撮像装置の構造を示す撮像装置の前面側から見た分解斜視図
【図３】本発明の電子機器の第一の実施形態である撮像装置のカバー本体を撮像装置の内観側から見た図
【図４−１】本発明の電子機器の第一の実施形態である撮像装置のキャップ部が開かれた状態を示した斜視図
【図４−２】本発明の電子機器の第一の実施形態である撮像装置のキャップ部が開かれた状態を示した図およびその断面図
【図５−１】本発明の電子機器の第二の実施形態である撮像装置のキャップ部が開かれた状態を示した斜視図
【図５−２】本発明の電子機器の第二の実施形態である撮像装置のキャップ部の延出部の断面図
【発明を実施するための形態】
【００１５】
以下に、本発明の好ましい実施の形態を、添付の図面に基づいて詳細に説明する。
［実施例１］
図１は本発明の電子機器の第一の実施形態である撮像装置１を背面側から見た斜視図である。図１に示すように、本実施形態の撮像装置１は、それぞれ樹脂等で形成された前カバー２、上カバー３、後カバー４で形成されており、撮像装置１の筐体にビス等で固定されている。
【００１６】
撮像装置１の背面部には、背面側から見て右側に撮像装置１を把持するための把持部５があり、略中央には液晶等の表示部６が配置されており、把持部５と表示部６の間には撮影時や画像再生時に各種設定をする際に使用する操作釦群７が配置されている。
【００１７】
図２−１は撮像装置１を背面側から見た分解斜視図、図２−２は撮像装置１を前面側から見た分解斜視図である。撮像装置１を背面側から見て左側面側に、不図示のプリント基板に実装された外部入出力端子１０が配置されている。樹脂等で形成されたカバー本体８は外部入出力端子１０の外周を囲うようにして形成されており、前カバー２および後カバー４で形成された開口部に収納され、撮像装置１の筐体１１に設けられたビス穴１４に対してビス１２によって固定されている。
【００１８】
外部入出力端子１０には、カバー本体８に設けられた外部入出力端子１０と略同一形状をした開口部８（ａ）を介して不図示のケーブルコネクタが接続される。なお、本実施例では、カバー本体８およびキャップ部９を、組立工程の最後、すなわち、前カバー２、上カバー３、後カバー４を組んだ後に筐体１１に対してビス１２によって固定される構成としている。
【００１９】
このため、組立工程中の各種導通検査工程は、カバー本体８が組み付けられる前に行われ、外部入出力端子１０にケーブルコネクタを接続する際、カバー本体８へ打痕がつく懸念がない構成となっている。外部入出力端子１０としては、例えばテレビ受信機等の外部映像デバイスに接続するためのアナログビデオ端子、ＰＣ等に接続するためのデジタル端子、外部マイクやリモコンケーブルを接続するためのマイク端子およびリモコン端子等が挙げられる。
【００２０】
撮像装置１の背面側から見て左側面側には、キャップ部９が開閉方向に回動可能に保持されており、キャップ部９は閉状態で外部入出力端子１０を覆って撮像装置側面部の外観面を形成する。まずキャップ部９について詳細を説明する。キャップ部９の外形形状は、撮像装置１の上下方向（図で示すＹ方向）に延設された略長方形の形状をしている。
【００２１】
キャップ部９の幅方向（図で示す＋Ｚ方向および−Ｚ方向）の両側には複数の突起部９（ｃ）（図では片側のみ表示）を設けられている。キャップ部９の内観側には、複数の突起部が設けられており、キャップ部閉状態において、外部入出力端子１０の孔に挿通される。また、キャップ部９には延出部９（ａ）およびその先端部に係止部９（ｂ）が設けられている。
【００２２】
なお、キャップ部９の延出部９（ａ）は弾性変形が可能な軟質樹脂として、例えばエラストマ材等で形成されている。また、キャップ部９の延出部９（ａ）以外の部位は軟質樹脂に限らず、例えば硬質樹脂、または硬質樹脂と軟質樹脂の２色成形材であっても構わない。キャップ部９を撮像装置１から引き出したとき、係止部９（ｂ）が後述する突起部１１（ａ）に対して係合することで抜け止めとなっている。
【００２３】
次にカバー本体８について詳細を説明する。カバー本体８の外形形状は、キャップ部９と略同一形状となっている。このため、キャップ部９が閉状態の際は、カバー本体８が外観に露出していない。一方、キャップ部を撮像装置１より引き出したとき、すなわちキャップ部開状態では、カバー本体８は撮像装置側面部の外観面を形成する。カバー本体８は、外周がリブ８（ｂ）で囲まれた形状となっており、前述のキャップ部９の複数の突起部９（ｃ）がリブに対して圧入保持される。
【００２４】
また、キャップ部９の延出部９（ａ）が挿入される開口部８（ｃ）および、延出部９（ａ）のガイドの役割をするガイド部８（ｄ）が設けられている。なお、カバー本体８に設けられた開口部８（ｃ）は、キャップ部９の延出部９（ａ）の断面形状より一回り大きい略同一形状としている。前述の通り、キャップ部９の幅方向（図で示す＋Ｚ方向および−Ｚ方向）の両側には複数の突起部９（ｃ）（図では片側のみ表示）を設けているため、キャップ部閉状態において、対向するカバー本体８のリブ８（ｂ）に対して圧入保持される。
【００２５】
このため、キャップ部９はカバー本体８と位置決めされ、さらに、キャップ部９が容易に外れることがない構成となっている。延出部９（ａ）は、キャップ部９の長手方向（図で示すＹ方向）と直交する幅方向（図で示すＺ方向）の一方側部、さらに、長手方向の中心より片側に偏った位置（本実施例では図で示す−Ｙ側）に突出して設けられている。なお本実施例では、延出部９（ａ）の断面形状を略長方形としている。
【００２６】
次に撮像装置１の筐体１１について、主に外部入出力端子１０近傍の形状について説明する。筐体１１には、各種外部入出力端子１０が実装されたプリント基板がビスで固定されている。１３は補強部材であり、プリント基板および外部入出力端子１０を覆うように形成することで、ケーブルコネクタが外部入出力端子１０に差し込まれた際にコジリが発生した時でも、プリント基板および外部入出力端子１０に過度な負荷がかかることを抑制している。このため補強部材１３はＳＵＳなどの金属で形成されている。
【００２７】
補強部材１３の側面および、他１か所にカバー本体８を固定するためのビス穴１４が設けられている。カバー本体８は、前カバー２および後カバー４で形成された開口部に収納され、ビス１２によって筐体１１に固定される。補強部材１３の側面部には外部入出力端子１０と略同一形状の開口部１３（ａ）が設けられている。筐体１１の開口部１３（ａ）近傍には、突起部１１（ａ）が配設されており、カバー本体８の開口部８（ｃ）およびガイド部８（ｄ）を介して挿通されたキャップ部９の延出部９（ａ）が突起部１１（ａ）と補強部材１３の間に挿通される。
【００２８】
このため、ガイド部８（ｄ）としては、延出部９（ａ）が補強部材１３と接触して破損することを防止する役割も担っている。さらに、キャップ部９の延出部先端に設けられた係止部９（ｂ）が、筐体１１に設けられた突起部１１（ａ）に当接するまで、キャップ部９を所定量引き出すことが可能となる。
【００２９】
次に、図３を用いて本実施例の特徴的な構成を示すカバー本体８に設けられた凸部に関して説明する。図３はカバー本体８を撮像装置１の内観側から見た図である。前述した通り、カバー本体８には、長手方向（図で示すＹ方向）の中心より片側に偏った位置（本実施例では図で示す−Ｙ側）にキャップ部９の延出部９（ａ）が挿入される開口部８（ｃ）が設けられている。この開口部８（ｃ）に対して長手方向の中心を挟んだ端部の＋Ｚ方向の面に第一の位置決め凸部８（ｅ）が設けられている。
【００３０】
さらに、第一の位置決め凸部８（ｅ）と略対角の端部の−Ｚ方向の面に第二の位置決め凸部８（ｆ）が設けられている。これら２つの位置決め凸部によって、カバー本体８と筐体１１のＺ方向の位置が決まる構成となっている。詳細については後述する。
【００３１】
次に、図４を用いてカバー本体８およびキャップ部９を筐体１１に固定する手順について説明する。図４−１はキャップ部９を引き出した状態を示した図、図４−２はキャップ部９を引き出した状態でカバー本体８を正面に見た時の撮像装置１の側面図およびその断面を示した図である。前述した通り本実施例では、カバー本体８およびキャップ部９を筐体１１に対してビス１２で固定する工程を、撮像装置１の組立工程の最後としている。
【００３２】
そこで、カバー本体８とキャップ部９を撮像装置１に組み付ける手順について説明する。まずキャップ部９の延出部９（ａ）をカバー本体８の開口部８（ｃ）に挿入し、キャップ部９の突起部９（ｃ）をカバー本体８の外周を囲むリブに圧入する。こうすることでキャップ部９とカバー本体８が重ね合わせの状態となるため、この状態で前カバー２および後カバー４の開口部に収納する。
【００３３】
その後、カバー本体８を筐体１１に固定するために設けられたビス座８（ｇ）を露出させるために、キャップ部９の係止部９（ｂ）が筐体１１の突起部１１（ａ）に当接するまでキャップ部９を引出す。その後、キャップ部９を開方向に回動させ、撮像装置１の前方（図で示す＋Ｚ方向）に略９０°以上開いた状態で保持する。この状態において、延出部９（ａ）の略９０°曲がった屈曲部はカバー本体８の開口部８（ｃ）と当接することで、カバー本体８に対して図の矢印Ｐで示す方向へ力が働く。
【００３４】
また、本実施例におけるキャップ部９の延出部９（ａ）は、前述した通り、長手方向の中心より片側に偏った位置（図で示す−Ｙ側）に設けられている。このため、キャップ部９を略９０°開いて保持した状態では、カバー本体８に対して図の矢印Ｑで示す方向に回転させる力が働くことになる。
【００３５】
そこで、本実施例では、図４−２で示すように、カバー本体８の幅方向（図で示す＋Ｚ方向および−Ｚ方向）に第一の位置決め凸部８（ｅ）および第二の位置決め凸部８（ｆ）が設けられている。なお、Ａ−Ａ断面は第一の位置決め凸部８（ｅ）を通る断面図、Ｂ−Ｂ断面は第二の位置決め凸部８（ｆ）を通る断面図、Ｃ−Ｃ断面はその他を通る断面図である。第一の位置決め凸部８（ｅ）は、長手方向の中心を挟んで、キャップ部９の延出部９（ａ）と逆側の端部の＋Ｚ方向の面に設けられており、Ａ−Ａ断面で示すように前カバー２と接すように配置されている。
【００３６】
第二の位置決め凸部８（ｆ）は、第一の位置決め凸部８（ｅ）と略対角の端部の−Ｚ方向の面に設けられており、Ｂ−Ｂ断面で示すように後カバー３と接すように配置されている。なお、Ｃ−Ｃ断面で示すように、第一の位置決め凸部８（ｅ）および第二の位置決め凸部８（ｆ）以外はカバー本体８と前カバー２および後カバー３との間に組立に必要な所定のクリアランスを設けることで、カバー本体８の組立性が犠牲にならない構成となっている。
【００３７】
こうすることで、前述したカバー本体８に与える回転力を、第一の位置決め凸部８（ｅ）および第二の位置決め凸部８（ｆ）で受けることが可能となるため、カバー本体８が反時計回りに傾くことがなくなる。従って、カバー本体８の外周と前カバー２および後カバー４の隙間が均一に保たれた状態でビス締め作業を行うことが可能となる。
【００３８】
さらに前述した通り、キャップ部９とカバー本体８は圧入位置決めされているため、キャップ部９が閉状態のとき、キャップ部９の外周と前カバー２および後カバー４の隙間も均一に保たれることになる。
【００３９】
［実施例２］
本実施例は実施例１のキャップ部９の延出部９（ａ）の断面形状を変更した応用例である。図５−１はキャップ部９を略９０°開いて保持した状態を示した図、図５−２はキャップ部９の延出部９（ａ）の断面形状を示した図である。図５−２に示すように、キャップ部９の長手方向の中心より片側に偏った位置（本実施例では図で示す−Ｙ側）に配置された延出部９（ａ）の断面形状９（ｘ）は略台形形状となっている。つまり、上面（＋Ｙ側の面）に対して、下面（−Ｙ側の面）の幅を大きく設定している。
【００４０】
これに対して、カバー本体８に設けられた開口部８（ｘ）は、略台形形状をしたキャップ部９の延出部９（ａ）の断面形状を包括した略長方形の形状となっている。このような構成において、キャップ部９を略９０°開いて保持した状態では、図中のＰｏｉｎｔ  Ｖで示す延出部９（ａ）の屈曲部の下面（−Ｙ側の面）とカバー本体の開口部８（ｘ）が積極的に接する。このため、カバー本体８に対して図の矢印Ｒで示す方向に回転力が働きやすくなる。
【００４１】
実施例１と同様、カバー本体の幅方向（図で示す＋Ｚ方向および−Ｚ方向）に第一の位置決め凸部８（ｅ）および第二の位置決め凸部８（ｆ）を設けることで、前記回転方向に働く力によらず、カバー本体８を定位置に保ったままビス締め作業を行うことが可能となる。つまり、本実施例２の構成の場合、キャップ部９の延出部９（ａ）が、キャップ部９の長手方向の中心付近に配置された場合であっても、第一の位置決め凸部８（ｅ）および第二の位置決め凸部８（ｆ）の効果を十分得られることになる。
【００４２】
なお、本実施例２における、キャップ部９の延出部の断面形状９（ｘ）、および、それに相当するカバー本体の開口部８（ｘ）以外の構成については、本発明の実施例１と同様のため説明は省略する。
【００４３】
以上説明したように、本実施形態１および２では、カバー本体８の所定の位置に、位置決め凸部を複数設けることで、キャップ部９外周の隙間を均一に保つことが可能となる。
【００４４】
以上、本発明の好ましい実施形態について説明したが、本発明はこれらの実施形態に限定されず、その要旨の範囲内で種々の変形及び変更が可能である。また、本発明は、デジタルムービーカメラ、携帯型のＰＣ、携帯電話等に適用してもよい。また、本実施形態では、キャップ部９の延出部９（ａ）の位置を規定しているが、延出部９（ａ）と第一の位置決め凸部８（ｅ）および第二の位置決め凸部８（ｆ）の関係を満足すれば特に限定しない。
【符号の説明】
【００４５】
１  撮像装置、８  カバー本体、８（ｅ）  第一の位置決め凸部、８（ｆ）  第二の位置決め凸部、９  キャップ部、９（ａ）  延出部、９（ｂ）  係止部
【図１】
2018056607.tif 000003
【図２−１】
2018056607.tif 000004
【図２−２】
2018056607.tif 000005
【図３】
2018056607.tif 000006
【図４−１】
2018056607.tif 000007
【図４−２】
2018056607.tif 000008
【図５−１】
2018056607.tif 000009
【図５−２】
2018056607.tif 000010